(57)【要約】 【課題】    入れ替え作業を安全、容易、かつ、能率的に行うことができるとともに、部品点数を増やすことなく、上部ユニットと下部ユニットとの電気的接続を行うことができる遊技装置を提供する。【解決手段】下部ユニットに対して、上部ユニットを分離可能かつ一体的に連結可能に構成する。また、下部ユニットの天板２２０には、上部ユニットを貫通した封止具（封止ねじ）が止着される封止具止め部材（ストッパ部材２２３）が止めねじ２２４によって取り付けられているとともに、電源ユニットからの電力をリールユニット、演出ユニット、遊技制御手段および演出制御手段に供給するためのコネクタ２２８を取り付けるコネクタ取付プレート２２６が同じ止めねじ２２４によって固定されている。【選択図】 図７
2005058410.tif 000002
【特許請求の範囲】
【請求項１】
下部ユニットと、この下部ユニットに対して分離可能かつ一体に連結可能に構成された上部ユニットとを備え、
前記上部ユニットは、筐体と、この筐体に配置された複数のリールを有するリールユニット、演出ユニット、前記リールユニットを制御する遊技制御手段および前記演出ユニットを制御する演出制御手段とを備え、
前記下部ユニットは、一対の側板、この一対の側板の上下端間に架け渡された天板および底板、前記一対の側板の後端間に架け渡された背板、および、前記側板の前端間に開閉可能に設けられた前扉を含む筐体と、この筐体内に収納配置された遊技媒体払出手段および電源ユニットとを備え、
前記下部ユニットの天板には、前記上部ユニットを貫通した封止具が止着される封止具止め部材が止着手段によって取り付けられているとともに、前記電源ユニットからの電力を前記リールユニット、前記演出ユニット、前記遊技制御手段および前記演出制御手段に供給するためのコネクタを取り付けるコネクタ取付プレートが前記止着手段によって固定されていることを特徴とする遊技装置。
【請求項２】
請求項１に記載の遊技装置において、
前記下部ユニットの天板には、前記遊技媒体払出手段に遊技媒体を補充するための開口が形成されているとともに、前記封止具止め部材が前記開口近傍の天板に取り付けられ、前記開口の端縁を覆う保護カバーが前記止着手段によって前記天板の下面に固定されていることを特徴とする遊技装置。
【請求項３】
請求項１または請求項２に記載の遊技装置において、
前記下部ユニットの天板は木製、前記封止具止め部材および保護カバーは金属製であることを特徴とする遊技装置。
【請求項４】
請求項１〜請求項３のいずれかに記載の遊技装置において、
前記天板の上面両側には、前記上部ユニットの天板に設けられた摺動脚部材をガイドするレール部材が前記封止具止め部材とは略直交して配置されていることを特徴とする遊技装置。
【請求項５】
請求項１〜請求項４のいずれかに記載の遊技装置において、
前記止着手段は止めねじによって構成され、
前記コネクタ取付プレートは、前記天板の下面に固定される固定片と、この固定片から略直角にかつ下方へ折曲され前記コネクタを取り付ける垂下片とを備え、前記固定片には、前記止めねじが螺合されるめねじが形成されていることを特徴とする遊技装置。
【発明の詳細な説明】
【技術分野】
【０００１】
本発明は、たとえば、いわゆるスロットマシンやパチスロなどの遊技装置に関する。
【背景技術】
【０００２】
遊技装置として、外周に図柄を配列した複数（通常、３個）のリールを回転させ、遊技者の操作に基づいて各リールを停止させ、全てのリールが停止したときに表示される図柄の組み合わせに基づいて入賞を判定し、その判定結果に従ってメダルを払い出す遊技機、いわゆる、スロットマシンやパチスロと称される回胴式遊技機が知られている。
【０００３】
従来、回胴式遊技機の構造は、一体箱状に形成された筐体の内部に仕切板を配置して内部を上下に仕切り、上方空間に複数のリールを有するリールユニット、ランプやスピーカなどの演出ユニット、これらを制御する遊技制御基板および演出制御基板を配置するとともに、下方空間にメダルホッパ、メダル回収ボックスおよび電源ユニットなどを配置した構造である。
【０００４】
ところで、遊技者のニーズも多様化しているため、遊技者の興味を喚起するためには、遊技装置を短期間で新機種に入れ替えなければならなくなってきている。しかし、従来の構造では、筐体毎に入れ替え作業をしなければならないため、運搬、設置作業に時間、労力がかかり、その結果、ホール管理者においては、作業時間、作業コスト、作業量の維持管理において多大な費用負担が強いられるという問題があった。
【０００５】
そこで、機種変更を容易に行うことを目的とした出願が提案されている。たとえば、外周に図柄を配列した複数のリールを有するリールユニットと、遊技に関連した演出を行う演出装置と、前記リールユニットを制御する遊技制御手段と、演出装置を制御する演出制御手段とを備えたスロットマシンにおいて、リールユニット、遊技制御手段および演出制御手段を一体的に組み付けてユニット化し、このユニットを後部筐体内に交換可能に取り付けたスロットマシンが提案されている（たとえば、特許文献１参照）。
【０００６】
【特許文献１】特開２００３−１０３８４号公報
【発明の開示】
【発明が解決しようとする課題】
【０００７】
特許文献１では、リールユニット、遊技制御手段および演出制御手段を一体的に組み付けてユニット化し、このユニットを後部筐体内に交換可能に取り付けた構成であるため、交換作業がやりずらく、労力、作業時間があまり軽減できないという課題が残る。つまり、後部筐体に対して前面扉を開けた状態のままで、後部筐体内からユニットを取り出し、新たなユニットを後部筐体内に組み込まなければならないため、前面扉が邪魔なうえ、狭い後部筐体内の作業が強いられるため、交換作業がやりずらく、労力、作業時間があまり軽減できない。
【０００８】
このような課題に対し、本出願人は、先に、下部ユニットと、この下部ユニットに対して分離可能かつ一体に連結可能に構成された上部ユニットとを備え、前記上部ユニットは、筐体と、この筐体に配置された複数のリールを有するリールユニット、演出ユニット、前記リールユニットを制御する遊技制御手段および前記演出ユニットを制御する演出制御手段とを備え、前記下部ユニットは、一対の側板、この側板の上下部間に架け渡された天板および底板、前記一対の側板の後端間に架け渡された背板、および、前記側板の前端間に開閉可能に設けられた前扉を含む筐体と、この筐体内に収納配置された遊技媒体払出手段とを備えた遊技機を提案した。
【０００９】
このように構成した場合、下部ユニットの上に上部ユニットを組み込んだのち、封止具を上部ユニットを貫通して下部ユニットに止着・封止することによって、下部ユニットと上部ユニットとが一体とみなされることが要求される。このため、封止部を止めるための封止部止め部材を下部ユニットに別途取り付ける必要がある。
これとは別に、下部ユニットと上部ユニットとを別体として構成した場合、上部ユニットにはリールユニット、演出ユニット、遊技制御手段および演出制御手段が設けられるが、下部ユニットにはこれらに電力を供給する電源ユニットを配置する関係から、電源ユニットからの電力を各ユニットに供給するためのコネクタを、下部ユニットの上部ユニット近傍に別途取り付ける必要がある。しかし、このようにすると、部品点数の増大につながる。
【００１０】
本発明の目的は、入れ替え作業を安全、容易、かつ、能率的に行うことができるとともに、部品点数を増やすことなく、上部ユニットと下部ユニットとの電気的接続を行うことができる遊技装置を提供することである。
【課題を解決するための手段】
【００１１】
本発明の遊技装置は、下部ユニットと、この下部ユニットに対して分離可能かつ一体に連結可能に構成された上部ユニットとを備え、前記上部ユニットは、筐体と、この筐体に配置された複数のリールを有するリールユニット、演出ユニット、前記リールユニットを制御する遊技制御手段および前記演出ユニットを制御する演出制御手段とを備え、前記下部ユニットは、一対の側板、この一対の側板の上下端間に架け渡された天板および底板、前記一対の側板の後端間に架け渡された背板、および、前記側板の前端間に開閉可能に設けられた前扉を含む筐体と、この筐体内に収納配置された遊技媒体払出手段および電源ユニットとを備え、前記下部ユニットの天板には、前記上部ユニットを貫通した封止具が止着される封止具止め部材が止着手段によって取り付けられているとともに、前記電源ユニットからの電力を前記リールユニット、前記演出ユニット、前記遊技制御手段および前記演出制御手段に供給するためのコネクタを取り付けるコネクタ取付プレートが前記止着手段によって固定されていることを特徴とする。
【００１２】
この発明によれば、下部ユニットに対して、上部ユニットを分離可能かつ一体的に連結可能としたので、遊技装置の機種入れ替え作業時には、上部ユニットのみを丸ごと入れ替えるだけでよいから、入れ替え作業時の作業効率を向上させることができる。つまり、入れ替え作業時の作業時間の短縮、入れ替え作業の簡便化が図れる。その結果、遊技装置が設置される遊技ホールの保守管理費用の低減が図れる。
また、下部ユニットの天板には、電源ユニットからの電力をリールユニット、演出ユニット、遊技制御手段および演出制御手段に供給するためのコネクタを取り付けるコネクタ取付プレートが取り付けられているから、上部ユニットとの電気的接続も簡易に行うことができる。しかも、コネクタ取付プレートは、封止具止め部材を天板上に固定した止着手段を用いて天板に固定されているから、部品点数の増加を抑えることができる。
【００１３】
本発明では、前記下部ユニットの天板には、前記遊技媒体払出手段に遊技媒体を補充するための開口が形成されているとともに、前記封止具止め部材が前記開口近傍の天板に取り付けられ、前記開口の端縁を覆う保護カバーが前記止着手段によって前記天板の下面に固定されていることが好ましい。
この発明によれば、下部ユニットの天板には、遊技媒体払出手段に遊技媒体を補充するための開口が形成されているから、遊技媒体補充用容器を用いて遊技媒体を補充する際にも、補充しやすい。仮に、遊技媒体補充用容器が天板に接触しても、天板の開口端縁は保護カバーによって覆われているから、天板の損傷を抑えることができる。しかも、保護カバーは、封止具止め部材を天板上に固定した止着手段を用いて天板に固定されているから、部品点数の増加を抑えることができる。
【００１４】
本発明では、前記下部ユニットの天板は木製、前記封止具止め部材および保護カバーは金属製であることが好ましい。
この発明によれば、下部ユニットの天板は木製であるから、筐体の軽量化が図れる。ただ、天板が木製であると、強度的に弱いが、上下面が金属製の封止具止め部材および保護カバーで挟まれた構造であるから、強度を高めることができる。従って、下部ユニットの天板上に上部ユニットが載置されても、十分耐えうる構造に構成できる。
【００１５】
本発明では、前記天板の上面両側には、前記上部ユニットの天板に設けられた摺動脚部材をガイドするレール部材が前記封止具止め部材とは略直交して配置されていることが好ましい。
この発明によれば、天板の上面両側には、レール部材が封止具止め部材とは略直交して配置されているから、天板の強度を更に高めることができる。従って、軽量化を維持しつつ、上部ユニットを支持する剛性の高い支持構造を構成できる。
【００１６】
本発明では、前記止着手段は止めねじによって構成され、前記コネクタ取付プレートは、前記天板の下面に固定される固定片と、この固定片から略直角にかつ下方へ折曲され前記コネクタを取り付ける垂下片とを備え、前記固定片には、前記止めねじが螺合されるめねじが形成されていることが好ましい。
この発明によれば、天板の上面に封止具止め部材を載置するとともに、天板の下面にコネクタ取付プレートの固定片をあてがい、天板の上面側から、つまり、封止具止め部材から止めねじを挿入し、止めねじをコネクタ取付プレートの固定片に設けためねじに螺合すれば、これら封止具止め部材およびコネクタ取付プレートを天板に一度に固定することができる。
【発明を実施するための最良の形態】
【００１７】
以下、本発明の実施形態を図面に基づいて説明する。
図１は、本実施形態の遊技システムを示す正面図である。
図２は、遊技装置の前扉を開放した状態を示す斜視図である。
図３は、遊技装置の前扉を開放した状態の正面図である。
図４は、遊技装置の上部ユニット筐体内を上方から見た斜視図である。
図５は、遊技装置の上部ユニット筐体内を下方から見た斜視図である。
図６は、遊技装置の上部ユニットに設けられる扉体ロック手段を示す図である。
図７は、遊技装置の下部ユニットを上方から見た斜視図である。
図８は、遊技装置の下部ユニットに取り付けられるコネクタを示す斜視図である。
図９は、遊技装置の下部ユニットに取り付けられるヒンジ機構を示す図である。
図１０は、遊技装置の下部ユニットの前扉を裏面から見た斜視図である。
図１１は、遊技装置の上部ユニットと下部ユニットとの分離連結手段を示す図である。
図１２は、遊技装置の上部ユニットと下部ユニットとの締結手段を示す図である。
【００１８】
［遊技システムの全体構成］
遊技システムは、図１に示すように、いわゆる「島」を構成する構造体Ａと、遊技装置Ｂと、遊技媒体貸出装置Ｃとを備えている。構造体Ａは、いわゆる「ホール」と称される床面上に配列設置される。遊技装置Ｂは、いわゆる「パチスロ」と称される回胴式遊技機で、構造体Ａに所定間隔おきに形成された枠空間内にそれぞれ収納配置される。遊技媒体貸出装置Ｃは、遊技装置Ｂにて遊技するための遊技媒体であるメダルを貸し出すための装置で、構造体Ａの枠空間内に各遊技装置Ｂと隣接配置される。
【００１９】
［構造体の構成」
構造体Ａは、図１に示すように、複数の遊技装置Ｂおよび遊技媒体貸出装置Ｃを載置するための載置台Ａ１と、遊技装置Ｂおよび遊技媒体貸出装置Ｃが並設した組毎にこれらを収納配置するための枠空間を形成する枠フレームＡ２とを備えている。載置台Ａ１は、横方向に長い略直線状の箱形状に形成されている。枠フレームＡ２は、遊技装置Ｂおよび遊技媒体貸出装置Ｃの組の間を仕切る仕切桟Ａ２１と、これら仕切桟Ａ２１の上端に跨って載置台Ａ１と略平行に架け渡された上梁Ａ２２とを備えて構成されている。
【００２０】
［遊技装置の構成］
遊技装置Ｂは、図２および図３に示すように、上部ユニットＢ１と、下部ユニットＢ２と、これら上部ユニットＢ１および下部ユニットＢ２を分離可能かつ一体的に連結可能とする分離連結手段Ｂ３とを備えている。
【００２１】
（上部ユニットの構成）
上部ユニットＢ１は、図２および図３に示すように、筐体Ｂ１１と、この筐体Ｂ１１内に配置されたリールユニットＢ１２、演出ユニットＢ１３、リールユニットＢ１２を制御する遊技制御手段Ｂ１４および演出ユニットＢ１３を制御する演出制御手段Ｂ１５とを備えている。
【００２２】
筐体Ｂ１１は、一対の側板１１０と、この一対の側板１１０の上端間に架け渡された天板１２０と、一対の側板１１０の下端間に架け渡された底板１３０と、一対の側板１１０の後端間に架け渡された背板１４０と、一対の側板１１０の前端間に開閉可能に設けられた扉体としての前扉１５０とを備え、側面から見て略台形箱形状に形成されている。換言すると、筐体Ｂ１１は、一対の側板１１０、天板１２０、底板１３０および背板１４０によって構成された開口部を有する枠体と、この枠体の開口部一端側にヒンジ機構（後述する）を介して開閉可能に連結された扉体としての前扉１５０とから構成されている。
【００２３】
側板１１０は、木製、たとえば、合板や集成材などによって台形板状に形成されているとともに、高さ方向中間位置よりやや下方位置に側面側把手１１１を備える。側面側把手１１１は、側板１１０に横長矩形状の取付孔１１２が形成され、この取付孔１１２に合成樹脂によって偏平角筒状に形成された把手部材１１３が嵌合されて構成されている。把手部材１１３は、外端（側板外表面側）が開口されかつ内端に底壁を有する偏平角筒状の把手本体１１３Ａと、この把手本体１１３Ａの外周面に一体的に突設され側板１１０の内面に固定されるフランジ１１３Ｂとを備える。なお、向かって右側の側板１１０には、内面側前端縁上下位置に係合ピン１１４が水平に突設されているとともに、それらの間に係合ガイド片１１５が設けられている。係合ガイド片１１５は、図４に示すように、側板１１０内面に固定された固定片１１５Ａと、この固定片１１５Ａの下端から直角にかつ水平に折曲された受片１１５Ｂとを有するＬ字形状で、受片１１５Ｂの前端縁が下方へ傾斜された形状に形成されている。
【００２４】
天板１２０は、木製、たとえば、合板や集成材などによって横長矩形板状に形成されているとともに、後端縁に沿ってかつ所定間隔隔てて貫通形成された複数（３つ）の通気孔１２１（図５参照）を備えている。これら通気孔１２１は、天板１２０の内面側に貼り付けられた金属製のメッシュ体１２２によって塞がれている。
【００２５】
底板１３０は、図４に示すように、金属製（たとえば、鋼鈑）によって横長矩形板状に形成されたベース部材１３１と、このベース部材１３１の両側に一体的に取り付けられた金属製の摺動脚部材１３２とを備える。
ベース部材１３１は、横長矩形板状で、前端および両端に下方に略直角に折り曲げられた折曲片１３１Ａ，１３１Ｂを有するとともに、後端に上方へ略直角に折り曲げられた折曲片１３１Ｃを備える。前端側折曲片１３１Ａには、両側に封止具（封止ねじ）が貫通する封止ねじ挿入孔１３１Ａ１が形成されているとともに、略中央位置に金属製の前面側把手１３３が一体的に取り付けられている。前面側把手１３３は、前端側折曲片１３１Ａの長さの約１／３程の長さを有し、前端側折曲片１３１Ａから前方に延長されたのち、上方へ直角に起立された形状を備えている。後端側折曲片１３１Ｃは、背板１４０の内面に固定されている。
【００２６】
背板１４０は、木製、たとえば、合板や集成材などによって、側板の高さ寸法に対応する高さを有する横長矩形板状に形成されている。また、背板１４０には、図５に示すように、上端縁に沿って複数の通気孔１４１が貫通形成されているとともに、上部両端縁に沿って縦長形状の通気孔１４２が貫通形成されている。
【００２７】
前扉１５０は、一端側が側板１１０（正面から見て左側の側板）にヒンジ機構１５１を介して開閉可能に装着されているとともに、他端側に扉体ロック手段１６０を備えている。前扉１５０の外表面には、図１に示すように、略中央に横長矩形状の表示パネル１５３が、その両側にサイドランプ１５４が、これらの上部に液晶表示部１５５およびスピーカ１５６が、最上部に上部ランプ１５７が、それぞれ設けられている。表示パネル１５３の内部中央には、透明な窓部１５３Ａが形成されている。
【００２８】
扉体ロック手段１６０は、前扉１５０を下から上方へ押し上げた状態で前扉１５０を枠体にロックするためのもので、前記係合ピン１１４および係合ガイド片１１５と、図６に示すように、前扉１５０の他端側に設けられた固定プレート１６１と、この固定プレート１６１に隣接して上下方向へ変位可能に配置された可動プレート１６２と、この可動プレート１６２を常時下方へ付勢する付勢手段１６３とを備えている。
固定プレート１６１には、前扉１５０を閉じる方向へ回動していったとき、側板１１０の係合ガイド片１１５上に乗り上げる乗上片１６１Ａが一体に形成されているとともに、その上下位置に乗上片１６１Ａが係合ガイド片１１５に乗り上げた状態において、側板１１０の係合ピン１１４に嵌り込む嵌合溝１６１Ｂが形成されている。乗上片１６１Ａの下面には、係合ガイド片１１５上に乗り上げる段状の切欠部１６１Ａ１が形成されているとともに、その切欠部１６１Ａ１の前端縁が前方へ向かって上方へ傾斜する傾斜面１６１Ａ２に形成されている。嵌合溝１６１Ｂは、内径が係合ピン１１４の径より僅かに大きい径で、固定プレート１６１の前端縁に開口されている。
可動プレート１６２は、固定プレート１６１に２本のピンを介して上下方向へ変位可能に設けられたプレート本体１６２Ａを備える。プレート本体１６２Ａには、付勢手段１６３によってプレート本体１６２Ａが下方へ付勢された状態において、固定プレート１６１の下端より下方へ突出する操作部１６２Ｂが設けられているとともに、固定プレート１６１の嵌合溝１６１Ｂと対応する位置にその嵌合溝１６１Ｂの開口を塞ぐロック片１６２Ｃが一体的に形成されている。ロック片１６２Ｃは、プレート本体１６２Ａから前方へ向かって突出され、その突出部の下面に下向き開口を有する溝部１６２Ｃ１およびこの溝部１６２Ｃ１から連続して前方へ向かうに従って上方へ傾斜する傾斜面１６２Ｃ２を備える。
付勢手段１６３は、引張コイルばねによって構成され、下端が固定プレート１６１に固定され、上端が可動プレート１６２に固定されている。
【００２９】
リールユニットＢ１２は、図２および図３に示すように、リールボックス１７１と、このリールボックス１７１内に並設して収納配置された複数（３つ）のリール１７２とを備えている。
リールボックス１７１は、たとえば、鋼鈑などによって前面を開放した略直方体形状の箱状に形成され、下面が筐体Ｂ１１の底板１３０に固定されている。
リール１７２は、前扉１５０の透明な窓部１５３Ａに臨む位置でリールボックス１７１内に配置され、それぞれに連結されたモータ（たとえば、ステッピングモータ）の駆動によって回転される。リール１７２の外周面には、複数個（たとえば、２１個）の図柄が等間隔で配列されている。図柄は、ビッグボーナス（ＢＢ）図柄、レギュラーボーナス（ＲＢ）図柄、小役図柄、リプレイ図柄などから構成され、それぞれのリール１７２毎に図柄が異なる配列で配置されている。リール１７２の内部には、それぞれのリール１７２の図柄を背面（リール内部）から照らすバックライトが取り付けられている。これにより、遊技者は、表示パネル１５３の透明な窓部１５３Ａを通して、各リール１７２の絵柄の移動を視認することができる。
【００３０】
演出ユニットＢ１３は、図１に示すように、前扉１５０の外表面に設けられた各種ランプおよびスピーカなどで構成されている。具体的には、前扉１５０の略中央両側に設けられたサイドランプ１５４と、上部に設けられた液晶表示部１５５およびスピーカ１５６と、最上部に設けられた上部ランプ１５７とから構成されている。これらランプ１５４，１５７、液晶表示部１５５、スピーカ１５６は、図示しない駆動回路を介して演出制御手段Ｂ１５によって制御され、ゲーム中の一般的な入賞報知やマシン動作の効果音、効果サラウンドなどの出力を行うほか、さまざまな内部当選の結果を遊技者に告知する。
【００３１】
遊技制御手段Ｂ１４は、図３および図５に示すように、筐体Ｂ１１の背板１４０の内面に基板取付フレーム１９１を介して取り付けられた遊技制御基板１９２によって構成されている。
基板取付フレーム１９１は、金属（鋼鈑など）によって横長矩形枠形状に形成され、筐体Ｂ１１の背板１４０の内面に止めねじによって固定されている。また、基板取付フレーム１９１には、メッシュ体１２２から延長された連結帯１２２Ａが接側されている。つまり、メッシュ体１２２と基板取付フレーム１９１とが導通接続されている。
遊技制御基板１９２は、入力ポートおよび出力ポートを有するとともに、メダルセンサ、クロック発生回路、スタートレバー、第１〜第３のリールインデックス、停止ボタン、第１〜第３のリール表示器、メダルブロックソレノイド、スタートレバーＬＥＤ、３個のＢＥＴ表示ランプなどの周辺機器（いずれも図示省略）が電気的に接続されている。リールインデックスでは、リール１７２が一回転する毎に発生するリセットパルスを検出し、その所定の基準値からの回転角度をリール１７２の回転位置として計数し、その計数値を遊技制御基板１９２に与える。遊技制御基板１９２では、各リール１７２の回転位置の組み合わせから（絵柄の組み合わせから）、入賞を判定し、メダルの払い出しや、遊技状況に応じて演出制御手段Ｂ１５に各種信号を出力する。
【００３２】
演出制御手段Ｂ１５は、図３に示すように、筐体Ｂ１１の一方の側板１１０の内面に基板取付フレーム２０１を介して取り付けられた演出制御基板２０２によって構成されている。
演出制御基板２０２は、ＣＰＵ、音声ＬＳＩ、データ入力回路、クロック発生回路、制御用ＲＯＭ、ＲＡＭ、音声用ＲＯＭ、アンプ回路などを備え、液晶表示部１５５、上部ランプ１５７、サイドランプ１５４、リールバックライト、スピーカ１５６などを制御する。つまり、遊技制御基板１９２からの信号に基づき、遊技状況に応じて、液晶表示部１５５、上部ランプ１５７、サイドランプ１５４、リールバックライト、スピーカ１５６などを制御する。
【００３３】
（下部ユニットの構成）
下部ユニットＢ２は、図１、図２および図３に示すように、筐体Ｂ２１と、この筐体Ｂ２１に配置された遊技媒体投入手段Ｂ２２、操作手段Ｂ２３、電源ユニットＢ２４、外部集中端子板Ｂ２５および遊技媒体回収払出手段Ｂ２６とを備えている。
【００３４】
筐体Ｂ２１は、一対の側板２１０と、この一対の側板２１０の上端間に架け渡された天板２２０と、一対の側板２１０の下端間に架け渡された底板２３０と、一対の側板２１０の後端間に架け渡された背板２４０と、一対の側板２１０の前端間に開閉可能に設けられた扉体としての前扉２５０とを備え、側面から見て略台形箱形状に形成されている。
【００３５】
側板２１０は、木製、たとえば、合板や集成材などによって台形板状に形成されている。なお、向かって左側の側板２１０内面には電源ユニットＢ２４が取り付けられているとともに、向かって右側の側板２１０の内面前端縁上下位置に係合ピン２１４が水平に突設されているとともに、それらの間に係合ガイド片２１５が設けられている。係合ガイド片２１５は、係合ガイド片１１５と同様に、側板２１０内面に固定された固定片と、この固定片の下端から直角にかつ水平に折曲された受片とを有するＬ字形状で、受片の前端縁が下方へ傾斜された形状に形成されている。
【００３６】
天板２２０は、木製、たとえば、合板や集成材などによって横長矩形板状に形成されているとともに、一対の側板２１０の上部間に止めねじによって固定されている。天板２２０の前端縁には、図７に示すように、後端縁に向かって凹状に切り欠かれた開口としての凹部２２１が形成されている。凹部２２１は、下部ユニットＢ２内に配置された遊技媒体回収払出手段Ｂ２６に、下部ユニットＢ２の上部からメダルの補充する際のメダル投入口として形成されている。
【００３７】
天板２２０の上面において、両端側には上部ユニットＢ１の摺動脚部材１３２を前後方向へ摺動自在にガイドする金属製のレール部材２２２が固定されているとともに、このレール部材２２２の間には上部ユニットＢ１が後端側へ向かって収納されたとき上部ユニットＢ１に当接し上部ユニットＢ１の後退を規制するストッパ部材２２３が固定されている。つまり、レール部材２２２がストッパ部材２２３に対して略直交して配置されている。ストッパ部材２２３は、上部ユニットＢ１の封止ねじ挿入孔１３１Ａ１を貫通した封止具（封止ねじ）を止着するための封止具止め部材を兼ねるもので、天板２２０上面に固定された固定片２２３Ａと、この固定片２２３Ａの前端縁から上方へ略直角に折り曲げられた起立片２２３Ｂとを備えている。固定片２２３Ａは、止着手段としての数本の止めねじ２２４によって天板２２０に固定されている。起立片２２３Ｂには、上部ユニットＢ１の封止ねじ挿入孔１３１Ａ１を貫通した封止具（封止ねじ）が螺合される封止ねじ螺合孔２２３Ｂ１が両側に形成されている。
【００３８】
天板２２０の下面において、保護カバーとしての凹部保護プレート２２５およびコネクタ取付プレート２２６が、ストッパ部材２２３を固定した止めねじ２２４によって固定されている。凹部保護プレート２２５は、全体が金属製で、天板２２０の下面に固定された固定片２２５Ａと、この固定片２２５Ａの先端から上方へ起立した起立片２２５Ｂとを有する。固定片２２５Ａには、止めねじ２２４が螺合されるめねじが形成されている。起立片２２５Ｂは、凹部２２１内端面中央部を覆うように配置されている。コネクタ取付プレート２２６は、図８に示すように、天板２２０の下面に固定された固定片２２６Ａと、この固定片２２６Ａの先端から下方へ垂下した垂下片２２６Ｂとを有している。固定片２２６Ａには、止めねじ２２４が螺合されるめねじが形成されている。垂下片２２６Ｂには、両端側に係合孔２２７が形成されているとともに、これらの間にコネクタ２２８が取り付けられている。
【００３９】
コネクタ２２８には、電源用コネクタ端子２２８Ａ、演出ユニット用コネクタ端子２２８Ｂ、主基板用コネクタ端子２２８Ｃなどが設けられているとともに、これらが透明な合成樹脂などから形成されたコネクタカバー２２９によって覆われている。
【００４０】
コネクタカバー２２９は、背面側を開口した偏平箱状のカバー本体２２９Ａと、このカバー本体２２９Ａの開口部一端側に一体的に設けられ係合孔２２７に回動可能に係合される折返フック片２２９Ｂと、カバー本体２２９Ａの開口部他端側に一体的に設けられ係合孔２２７に係止される係合爪２２９Ｃとを備えている。折返フック片２２９Ｂは、カバー本体２２９Ａの開口部一端縁からカバー本体２２９Ａの側壁と略平行になるように略Ｕ字形状に折曲形成されている。係合爪２２９Ｃは、カバー本体２２９Ａの開口部一端縁から延長され弾性変形可能な腕部２２９Ｃ１と、この腕部２２９Ｃ１の先端に外側に突起した爪部２２９Ｃ２とを備えている。爪部２２９Ｃ２の先端外側面は、先端から腕部へ向かうに従って外側へ傾斜する傾斜面に形成されている。
【００４１】
底板２３０は、木製、たとえば、合板や集成材などによって横長矩形板状に形成されとともに、一対の側板２１０の下部間に止めねじによって固定されている。
【００４２】
背板２４０は、木製、たとえば、合板や集成材などによって、側板の高さ寸法に対応する高さを有する横長矩形板状に形成されている。
【００４３】
前扉２５０は、一端側が片方の側板２１０に図９に示すヒンジ機構２５１を介して開閉可能に装着されているとともに、他端側に扉体ロック手段２６０を備えている。前扉２５０の外表面には、図１に示すように、表示パネル２５３が取り付けられているとともに、その下方位置に入賞時に獲得したメダルを払い出すメダル払出口２５５、および、メダル受皿部２５６がそれぞれ設けられている。また、前扉２５０の内表面（裏面）側には、図１０に示すように、操作手段Ｂ２３の各種ボタン（スタートレバーや停止ボタンなど）を一括して配置する中継基板２５７が設けられている。
なお、扉体ロック手段２６０は、上部ユニットＢ１の前扉１５０の扉体ロック手段１６０と同一構造であるため、説明を省略する。
【００４４】
遊技媒体投入手段Ｂ２２は、前扉２５０の上端面に設けられたメダル投入口によって構成されている。
操作手段Ｂ２３は、前扉２５０の外表面上部位置に配置された複数のボタンによって構成されている。すなわち、複数のリール１７２を回転させて遊技をスタートさせるためのスタートレバー２６１、各リール１７２の回転停止を指令する３つの停止ボタン２６２のほか、ベッドスイッチや精算ボタンなどから構成されている。
電源ユニットＢ２４は、リールユニットＢ１２、演出ユニットＢ１３、遊技制御手段Ｂ１４、演出制御手段Ｂ１５、遊技媒体回収払出手段Ｂ２６などに電力を供給するためのもので、コネクタ２２８を介してこれらに接続されているとともに、筐体Ｂ２１の（左側）側板２１０の内面に固定されている。
外部集中端子板Ｂ２５は、筐体Ｂ２１の（右側）側板２１０の内面に固定されている。
遊技媒体回収払出手段Ｂ２６は、図３に示すように、下部ユニットＢ２内に設けられたメダルホッパ２７１と、このメダルホッパ２７１から溢れたメダルを収容する余剰メダル収容タンク２７２とを備えている。メダルホッパ２７１は、既存の構造ののもで、所定量のメダルを貯えるとともに、遊技制御基板Ｂ１４からの指令に基づき、貯えたメダルをメダル払出口２５５から払い出す。
【００４５】
（分離連結手段の構成）
分離連結手段Ｂ３は、図１１に示すように、上部ユニットＢ１の底板１３０に設けられた摺動脚部材１３２と、下部ユニットＢ２の天板２２０に設けられたレール部材２２２と、上部ユニットＢ１が下部ユニットＢ２の定位置に組み込まれた状態において上部ユニットＢ１の前方への移動を阻止するストッパ機構Ｂ３３と、上部ユニットＢ１の底板１３０と下部ユニットＢ２の天板２２０とを締結する締結手段Ｂ３４とを備えて構成されている。
【００４６】
摺動脚部材１３２は、１枚の板材の折り曲げ加工によって形成されている。つまり、上部ユニットＢ１の側板１１０内面にねじ止め固定された固定片１３２Ａと、この固定片１３２Ａの下端から筐体Ｂ１１内へ向かって略直角に折り曲げられた水平折曲片１３２Ｂと、この水平折曲片１３２Ｂの先端から下方へ向かって略直角に折り曲げ加工され溶接などにより底板１３０の折曲片１３１Ｂに一体的に連結される連結片１３２Ｃと、この連結片１３２Ｃの下端に折曲形成されたＬ字形状の摺動部１３２Ｄとを有する形状に折り曲げ加工されている。
【００４７】
レール部材２２２は、１枚の板材の折り曲げ加工によって形成されている。つまり、断面コ字形に折曲形成され、摺動脚部材１３２の摺動部１３２Ｄを筐体Ｂ２１の前後方向へ移動可能にガイドするガイド部２２２Ａと、このガイド部２２２Ａの上部水平片の２箇所から上方に切り起こされた固定片２２２Ｂと、ガイド部２２２Ａの下部水平片先端から僅か上方へ段差を持って折曲されたのち筐体Ｂ２１内へ水平に延長された延長部２２２Ｃとを有する形状に折り曲げ加工されている。固定片２２２Ｂは筐体Ｂ２１の側板２１０内面に、延長部２２２Ｃは筐体Ｂ２１の天板２２０にぞれぞれ止めねじによって固定されている。
【００４８】
ストッパ機構Ｂ３３は、図７および図１１に示すように、下部ユニットＢ２の側板２１０に固定された保持枠３１１と、この保持枠３１１内に上下方向へ昇降可能に設けられたストッパ片３１２と、このストッパ片３１２を常時上方へ突出する方向へ付勢する付勢手段３１３とを備えている。ストッパ片３１２は、先端が下部ユニットＢ２の天板２２０およびレール部材２２２に形成された開口３１２Ａに対して出没可能に設けられているとともに、下端に操作部３１２Ｂを備える。付勢手段３１３は、引張スプリングによって構成されている。引張スプリングは、その上端が保持枠３１１の上部に係止され、下端がストッパ片３１２の下端に係止されている。
【００４９】
締結手段Ｂ３４は、下部ユニットＢ２の天板２２０およびレール部材２２２に設けられた挿通孔から上部ユニットＢ１の底板１３０に設けられた挿通孔３２１を通って挿通された連結ボルト３２２と、上部ユニットＢ１の底板１３０上側から連結ボルト３２２に螺合されるナット部材３２３とから構成されている。レール部材２２２には、図１２に示すように、めねじ３２４が形成されている。連結ボルト３２２には、上部にナット部材３２３およびめねじ３２４に螺合するおねじ３２２Ａが形成されているとともに、下端部につまみ３２２Ｂが設けられている。
【００５０】
従って、連結ボルト３２２のおねじ３２２Ａがナット部材３２３から外れた状態でも、連結ボルト３２２のおねじ３２２Ａの部分がレール部材２２２のめねじ３２４の部分でそれ以上下方へ落下することが阻止されている。つまり、連結ボルト３２２の落下が防止されている。
また、連結ボルト３２２およびナット部材３２３は、それぞれ導電性を有する金属によって構成されているとともに、これらに下部ユニットＢ２および上部ユニットＢ１の金属金物が接続されている。
【００５１】
［遊技媒体貸出装置の構成］
遊技媒体貸出装置Ｃは、図１に示すように、遊技装置Ｂに対して正面から見て右側に位置して、構造体Ａ内に配置される。側面から見て、遊技装置Ｂと略同形状で横幅寸法が十数ｃｍ程度の偏平状のケース体Ｃ１を有している。
ケース体Ｃ１の正面には、カード挿入口Ｃ１１、紙幣挿入口Ｃ１２、メダル払出口Ｃ１３が上から順に設けられている。メダル払出口Ｃ１３には、シュートＣ１４が取り付けられている。シュートＣ１４の下端は、下部ユニットＢ２のメダル受皿部２５６に臨ませられている。
【００５２】
［遊技システムの作用］
（上部ユニットの結合動作）
上部ユニットＢ１を下部ユニットＢ２に結合するには、下部ユニットＢ２の天板２２０上に上部ユニットＢ１を載置する。この際、下部ユニットＢ２のレール部材２２２に上部ユニットＢ１の摺動脚部材１３２が嵌り込むように、下部ユニットＢ２に対して上部ユニットＢ１を位置合わせするとともに、ストッパ機構Ｂ３３のストッパ片３１２を付勢手段（引張スプリング）３１３に抗して下方へ引き下げ、ストッパ片３１２の上端を開口３１２Ａより下方に位置させる。
【００５３】
この状態において、上部ユニットＢ１を下部ユニットＢ２の後方へ押し込んでいくと、上部ユニットＢ１の底板１３０の前端側折曲片１３１Ａが下部ユニットＢ２の天板２２０に設けられたストッパ部材２２３に当接される。ここで、ストッパ機構Ｂ３３の付勢手段（引張スプリング）３１３の付勢力によってストッパ片３１２を上昇させ、ストッパ片３１２の上端を開口３１２Ａより上方へ突出させると、ストッパ片３１２の突出部が上部ユニットＢ１の摺動脚部材１３２の前端に当接した状態となるため、上部ユニットＢ１の前方への引き出しが阻止される。
【００５４】
ここで、締結手段Ｂ３４の連結ボルト３２２を上へ持ち上げながら、おねじ３２２Ａをナット部材３２３に螺合していくと、これらによって、上部ユニットＢ１の底板１３０と下部ユニットＢ２の天板２２０とが締め付けられていくから、上部ユニットＢ１を下部ユニットＢ２に一体的に結合することができる。
最後に、上部ユニットＢ１の前端側折曲片１３１Ａの両側に設けられた封止ねじ挿入孔１３１Ａ１から封止具としての封止ねじを挿入し、下部ユニットＢ２のストッパ部材２２３に設けられたねじ螺合孔２２３Ｂ１に螺合したのち、封止を行う。これにより、上部ユニットＢ１と下部ユニットＢ２とが一体とみなされる。
【００５５】
（上部ユニットの分離動作）
上部ユニットＢ１を下部ユニットＢ２から分離するには、上部ユニットＢ１および下部ユニットＢ２の前扉１５０，２５０をそれぞれ開放し、締結手段Ｂ３４の連結ボルト３２２を緩める。つまり、上部ユニットＢ１側に位置するナット部材３２３を保持して回動規制した状態で、連結ボルト３２２を緩める。すると、連結ボルト３２２がナット部材３２３から外れる。この状態において、ストッパ機構Ｂ３３のストッパ片３１２を付勢手段（引張スプリング）３１３に抗して下方へ引き下げ、ストッパ片３１２の上端を開口３１２Ａより下方に位置させた状態において、上部ユニットＢ１の前面側把手１３３に指を掛けて上部ユニットＢ１を前方へ引き出す。
【００５６】
上部ユニットＢ１の側面側把手１１１が構造体Ａより露出する位置まで、上部ユニットＢ１を引き出したのち、上部ユニットＢ１の側面側把手１１１を両側から両手で把持しながら、上部ユニットＢ１を更に前方へ引き出すと、上部ユニットＢ１を下部ユニットＢ２から分離させることができる。
【００５７】
［実施形態の効果］
本実施形態によれば、次の作用効果が期待できる。
＜上部ユニットと下部ユニットとの分離・連結構造に伴う効果＞
（１）下部ユニットＢ２に対して上部ユニットＢ１を、分離連結手段Ｂ３によって分離可能かつ一体的に連結可能としたので、遊技装置Ｂの機種入れ替え作業時には、上部ユニットＢ１のみを丸ごと入れ替えるだけでよいから、入れ替え作業時の作業効率を向上させることができる。つまり、入れ替え作業時の作業時間の短縮、入れ替え作業の簡便化が図れる。その結果、遊技装置Ｂが設置される遊技ホールの保守管理費用の低減が図れる。
【００５８】
（２）分離連結手段Ｂ３は、上部ユニットＢ１の底板１３０に設けられた摺動脚部材１３２と、下部ユニットＢ２の天板２２０に設けられ摺動脚部材１３２を下部ユニットＢ２の前後方向へ移動可能に案内するレール部材２２２とを備えているから、上部ユニットＢ１を下部ユニットＢ２に連結する際、あるいは、上部ユニットＢ１を下部ユニットＢ２から分離する際、これらの作業を容易にかつ安全に行うことができる。
たとえば、上部ユニットＢ１を下部ユニットＢ２に連結する際には、下部ユニットＢ２のレール部材２２２に上部ユニットＢ１の摺動脚部材１３２が嵌り込むように、下部ユニットＢ２に対して上部ユニットＢ１を位置合わせしたのち、上部ユニットＢ１を下部ユニットＢ２の後方へ押し込んでいくだけで、上部ユニットＢ１を下部ユニットＢ２の上に組み込むことができる。さらに、上部ユニットＢ１が定位置まで押し込まれると、上部ユニットＢ１が下部ユニットＢ２のストッパ部材２２３に当接して、上部ユニットＢ１のそれ以上の押し込みが阻止されるから、上部ユニットＢ１を下部ユニットＢ２の定位置に位置決めすることができる。従って、連結作業を容易にかつ安全に行うことができる。しかも、上部ユニットＢ１を下部ユニットＢ２に対してスライドさせることで、連結、分離が行えるので、構造体Ａで仕切られた枠空間内に上部ユニットＢ１および下部ユニットＢ２が収納配置されているように状況にあっても、これらの作業を容易にかつ安全に行うことができる。
【００５９】
（３）分離連結手段Ｂ３は、更に、上部ユニットＢ１が下部ユニットＢ２の定位置に組み込まれた状態において、上部ユニットＢ１の前方への移動を阻止するストッパ機構Ｂ３３と、上部ユニットＢ１の底板１３０と下部ユニットＢ２の天板２２０とを締結する締結手段Ｂ３４とを備えているから、ストッパ機構Ｂ３３によって上部ユニットＢ１が定位置に押し込まれたのちは、前方への脱出が阻止される。従って、その後、締結手段Ｂ３４によって、上部ユニットＢ１と下部ユニットＢ２との締結作業を安全に行うことができる。
【００６０】
（４）ストッパ機構Ｂ３３は、下部ユニットＢ２の側板２１０に固定された保持枠３１１と、この保持枠３１１内に上下方向へ昇降可能に設けられたストッパ片３１２と、このストッパ片３１２を常時上方へ突出する方向へ付勢する付勢手段３１３とを備える。ストッパ片３１２は、先端が下部ユニットＢ２の天板２２０に形成された開口３１２Ａに対して出没可能に設けられているとともに、下端に操作部３１２Ｂを備えているから、上部ユニットＢ１を下部ユニットＢ２に組み込む際、ストッパ片３１２を付勢手段３１３に抗して下方へ引き下げ、ストッパ片３１２の上端を開口３１２Ａより下方に位置させた状態で上部ユニットＢ１を下部ユニットＢ２に組み込んだのち、付勢手段３１３の付勢力によってストッパ片３１２を上昇させ、ストッパ片３１２の上端を開口３１２Ａより上方へ突出させると、ストッパ片３１２の突出部が上部ユニットＢ１の摺動脚部材１３２の前端に当接した状態となるため、上部ユニットＢ１の前方への引き出しが自動的に阻止される。
【００６１】
（５）締結手段Ｂ３４は、下部ユニットＢ２の天板２２０およびレール部材２２２に設けられた挿通孔を通って上部ユニットＢ１の底板１３０に設けられた挿通孔３２１に挿通された連結ボルト３２２と、上部ユニットＢ１の底板１３０上から連結ボルト３２２に螺合されるナット部材３２３とを備えている。レール部材２２２にはめねじ３２４が形成され、連結ボルト３２２には上部にナット部材３２３およびめねじ３２４に螺合するおねじ３２２Ａが形成されているから、連結ボルト３２２のおねじ３２２Ａがナット部材３２３から外れた状態でも、連結ボルト３２２のおねじ３２２Ａの部分がレール部材２２２のめねじ３２４の部分でそれ以上下方へ落下することが阻止されるため、連結ボルト３２２の落下、紛失を防止できる。
【００６２】
＜上部ユニットの効果＞
（６）上部ユニットＢ１には、底板１３０の前端に金属製の前面側把手１３３が一体的に取り付けられているとともに、側板１１０に側面側把手１１１が設けられているから、上部ユニットＢ１を下部ユニットＢ２に連結する際、あるいは、上部ユニットＢ１を下部ユニットＢ２から分離する際に、これらの把手１３３，１１１を使って、作業を容易にかつ安全に行うことができる。たとえば、上部ユニットＢ１を下部ユニットＢ２から前方へ引き出す際には、まず、前面側把手１３３を使って上部ユニットＢ１を前方へ引き出し、側面側把手１１１が構造体Ａより露出された位置まで引き出されたのち、側面側把手１１１を使って上部ユニットＢ１を下部ユニットＢ２から完全に分離できるから、つまり、上部ユニットＢ１を下部ユニットＢ２から完全に分離する時点では側面側把手１１１を使って上部ユニットＢ１を両側から持ち抱えることができるから、これらの作業を容易にかつ安全に行うことができる。
【００６３】
（７）上部ユニットＢ１は筐体Ｂ１１を有し、筐体Ｂ１１は木製の側板１１０、天板１２０、背板１４０と、金属製の底板１３０とから構成されているから、底板１３０の剛性を高めることができる。しかも、底板１３０は、平板金属製でリールボックス１７１を固定するためのベース部材１３１と、このベース部材１３１の両側に一体的に結合された金属製の摺動脚部材１３２とから構成されているから、摺動脚部材１３２によってベース部材１３１の剛性を高めることができるうえ、ベース部材１３１の各辺にも折曲片１３１Ａ，１３１Ｂ，１３１Ｃが形成されているから、これらの相乗効果によってより高い剛性を確保できる。その結果、ベース部材１３１の上面に固定されたリールボックス１７１を安定して支持することができる。
【００６４】
（８）上部ユニットＢ１の前扉１５０には、前扉１５０を下方から上方へ力を掛けた状態で、前扉１５０を閉じると、前扉１５０を筐体Ｂ１１に閉塞ロックできる扉体ロック手段１６０が設けられているから、筐体Ｂ１１に対して前扉１５０を確実に閉じることができるとともに、ヒンジ機構１５１への負荷も軽減できる。
通常、ヒンジ機構には前扉およびこれに取り付けられた付属物の重量がかかっているため、前扉を開けたとき、前扉が正規の高さ位置より下がって開放される虞がある。このような状態のまま、前扉を閉じると、筐体側と前扉側の係合部がずれて正確に閉じられないばかりでなく、ヒンジ機構にも無理な力がかかりヒンジ機構の破損を招く虞がある。本実施形態の扉体ロック手段１６０では、前扉１５０を下方から上方へ力を掛けた状態で、前扉１５０を閉じると、前扉１５０を筐体Ｂ１１に閉塞ロックできるようにしたから、筐体Ｂ１１に対して前扉１５０を確実に閉じることができるとともに、ヒンジ機構１５１への負荷も軽減できる。
【００６５】
（９）扉体ロック手段１６０は、前扉１５０の他端側に設けられた固定プレート１６１と、この固定プレート１６１に隣接して上下方向へ変位可能に配置された可動プレート１６２と、この可動プレート１６２を常時下方へ付勢する付勢手段１６３とを備え、固定プレート１６１には、前扉１５０を閉じる方向へ回動していったとき、側板１１０の係合ガイド片１１５に乗り上げる乗上片１６１Ａが一体に形成されているから、前扉１５０が正規の高さ位置より下がって開放された状態から、前扉１５０を閉じても、前扉１５０側の乗上片１６１Ａが側板１１０の係合ガイド片１１５上に乗り上げて、前扉１５０の高さ位置を正規に位置に戻すから、前扉１５０を確実に閉じることができる。
しかも、乗上片１６１Ａの下面には、係合ガイド片１１５上に乗り上げる段状の切欠部１６１Ａ１が形成されているとともに、その切欠部１６１Ａ１の前端縁が前方へ向かって上方へ傾斜する傾斜面１６１Ａ２に形成されているから、この傾斜面１６１Ａ２によって乗上片１６１Ａを係合ガイド片１１５上にスムーズに乗り上がらせることができる。
【００６６】
（１０）可動プレート１６２には、付勢手段１６３によってプレート本体１６２Ａが下方へ付勢された状態において、固定プレート１６１の下端より下方へ突出する操作部１６２Ｂが設けられているとともに、固定プレート１６１の嵌合溝１６１Ｂと対応する位置にロック片１６２Ｃが一体的に形成されている。ロック片１６２Ｃは、プレート本体１６２Ａから前方へ向かって突出され、その突出部の下面に下側に開口を有する溝部１６２Ｃ１およびこの溝部１６２Ｃ１から連続して前方へ向かうに従って上方へ傾斜する傾斜面１６２Ｃ２を備えた形状に形成されているから、前扉１５０を閉じる方向へ回動していくと、ロック片１６２Ｃの傾斜面１６２Ｃ２が係合ピン１１４に当接し、更に、閉じる方向へ回動すると、可動プレート１６２が付勢手段１６３に抗して上方へ移動されるから、溝部１６２Ｃ１が開放され係合ピン１１４に嵌り込む。すると、可動プレート１６２が付勢手段１６３によって下方へ移動されるため、溝部１６２Ｃ１が塞がれる。つまり、溝部１６２Ｃ１からの係合ピン１１４の脱出が阻止された状態となるから、前扉１５０の開放が規制される。
【００６７】
＜下部ユニットの効果＞
（１１）下部ユニットＢ２において、木製の天板２２０の前端縁には凹部２２１が形成され、この凹部２２１の内端面を覆うように、凹部保護プレート２２５が設けられているから、下部ユニットＢ２の上部からメダルを補充する際にメダル補充用容器が凹部２２１に当たっても、凹部２２１が損傷するのを防止できる。
【００６８】
（１２）凹部保護プレート２２５は、下部ユニットＢ２の天板２２０上にストッパ部材２２３を固定するための止めねじ２２４を利用して、下部ユニットＢ２に固定されているから、部品点数を少なくできる。つまり、止めねじ２２４の数を少なくでき、その結果、組立作業工数も削減できる。
更に、止めねじ２２４を利用して、ストッパ部材２２３および凹部保護プレート２２５だけでなく、コネクタ２２８を取り付けるためのコネクタ取付プレート２２６も固定されているから、より部品点数の削減、組立工数の削減が図れる。
【００６９】
（１３）下部ユニットＢ２の天板２２０は木製であるから、軽量化が図れるうえ、上下面が金属製のストッパ部材２２３および凹部保護プレート２２５でサンドイッチされた構造であるから、強度を高めることができる。そのため、下部ユニットＢ２の天板２２０上に上部ユニットＢ１が載置されても、強度的にも十分耐えうる構造に構成できる。
しかも、天板２２０の上面両側には、レール部材２２２がストッパ部材２２３とは略直交して配置されているから、天板２２０の強度を更に高めることができ、更に、ストッパ部材２２３は、天板２２０の略横幅に沿って設けられているから、天板２２０上の両側で上部ユニットＢ１を支持しても、十分な強度が得られる。これに対し、凹部保護プレート２２５は、遊技媒体補充用容器が接触しそうな部位のみ、つまり、凹部２２１の中央部に設けられているから、経済的にできる。
【００７０】
（１４）凹部保護プレート２２５は、天板２２０の下面に固定される固定片２２５Ａと、この固定片２２５Ａから略直角にかつ上方へ折曲され凹部２２１端縁を覆う起立片２２５Ｂとを備え、固定片２２５Ａには、止めねじ２２４が螺合されるめねじが形成されているから、天板２２０の上面にストッパ部材２２３を載置するとともに、天板２２０の下面に凹部保護プレート２２５の固定片２２５Ａをあてがい、天板２２０の上面側から、つまり、ストッパ部材２２３から止めねじ２２４を挿入し、止めねじ２２４を凹部保護プレート２２５の固定片２２５Ａに設けためねじに螺合すれば、これらストッパ部材２２３および凹部保護プレート２２５に一度に固定することができる。
【００７１】
（１５）コネクタ取付プレート２２６は、天板２２０の下面に固定される固定片２２６Ａと、この固定片２２６Ａから略直角にかつ下方へ折曲されコネクタ２２８を取り付ける垂下片２２６Ｂとを備え、固定片２２６Ａには、止めねじ２２４が螺合されるめねじが形成されているから、天板２２０の上面にストッパ部材２２３を載置するとともに、天板２２０の下面にコネクタ取付プレート２２６の固定片２２６Ａをあてがい、天板２２０の上面側から、つまり、ストッパ部材２２３から止めねじ２２４を挿入し、止めねじ２２４をコネクタ取付プレート２２６の固定片２２６Ａに設けためねじに螺合すれば、これらストッパ部材２２３およびコネクタ取付プレート２２６を天板２２０に一度に固定することができる。
【００７２】
（１６）コネクタ２２８には、電源用コネクタ端子２２８Ａ、演出ユニット用コネクタ端子２２８Ｂ、主基板用コネクタ端子２２８Ｃなどが設けられているとともに、これらが透明な合成樹脂などから形成されたコネクタカバー２２９によって覆われているから、前扉２５０を開けて保守点検作業を行うにも、安全性を確保できる。
【００７３】
（１７）コネクタカバー２２９は、背面側を開口した偏平箱状のカバー本体２２９Ａと、このカバー本体２２９Ａの開口部一端側に一体的に設けられ係合孔２２７に回動可能に係合される折返フック片２２９Ｂと、カバー本体２２９Ａの開口部他端側に一体的に設けられ係合孔２２７に係止される係合爪２２９Ｃとを備えているから、係合爪２２９Ｃを係合孔２２７から外したのち、折返フック片２２９Ｂを支点としてコネクタカバー２２９を回動すれば、コネクタ２２８を露出した状態に開放できる。しかも、折返フック片２２９Ｂが係合孔２２７に回動可能に係合しているから、コネクタカバー２２９が外れて紛失してしまう虞もない。
【００７４】
［他の実施形態］
なお、本発明は、前述の実施形態に限定されるものではなく、本発明の目的を達成できる範囲での変形、改良等は本発明に含まれる。
【００７５】
たとえば、前記実施形態では、下部ユニットＢ２において、天板２２０の前端縁に後端縁に向かって凹状に切り欠かれた凹部２２１を形成したが、孔状の開口でもよい。
天板２２０に、ストッパ部材２２３、凹部保護プレート２２５、コネクタ取付プレート２２６を止めねじ２２４によって一度に固定するようにしたが、止めねじ２２３に代わってリベットなどでもよい。
ストッパ部材２２３、凹部保護プレート２２５、コネクタ取付プレート２２６は、全て金属製としたが、合成樹脂製でもよい。
扉体ロック機構１６０，２６０は、上部ユニットＢ１の前扉１５０、下部ユニットＢ２の前扉２６０にそれぞれ設けたが、少なくとも一方のみでもよい。
【００７６】
上部ユニットＢ１と下部ユニットＢ２とを分離可能かつ一体連結可能とする分離連結手段Ｂ３についても、前記実施形態の構成に限らず、他の構成でもよい。たとえば、下部ユニットＢ２の天板２２０上に１本のレールを前後方向に沿って配置し、この１本のレールを両側から挟むローラなどを上部ユニットＢ１の底板１３０に設けた構造でもよい。
ストッパ機構Ｂ３３についても、他の構成でもよく、あるいは、特別に設けなくてもよい。締結手段Ｂ３４についても、他の構成、たとえば、前記実施形態とは逆に、上部ユニットＢ１側から下部ユニットＢ２にボルトを挿通・螺合して締結するような構造とすれば、操作しやすい利点がある。
【００７７】
たとえば、前記実施形態では、下部ユニットＢ２の筐体Ｂ２１に、遊技媒体投入手段Ｂ２２、操作手段Ｂ２３、電源ユニットＢ２４、外部集中端子板Ｂ２５、遊技媒体回収払出手段Ｂ２６を組み込んだが、これら全てを組み込まなくてもよい。遊技装置の機種などに応じて、適宜組み合わせて組み込めばよい。
【産業上の利用可能性】
【００７８】
本発明は、いわゆる「パチスロ」と称される回胴式遊技機に利用できる他、たとえば、スロットマシンなどにも利用することができる。
【図面の簡単な説明】
【００７９】
【図１】本実施形態の遊技システムを示す正面図。
【図２】遊技装置の前扉を開放した状態を示す斜視図。
【図３】遊技装置の前扉を開放した状態の正面図。
【図４】遊技装置の上部ユニット筐体内を上方から見た斜視図。
【図５】遊技装置の上部ユニット筐体内を下方から見た斜視図。
【図６】遊技装置の上部ユニットに設けられる扉体ロック手段を示す図。
【図７】遊技装置の下部ユニットを上方から見た斜視図。
【図８】遊技装置の下部ユニットに取り付けられるコネクタを示す斜視図。
【図９】遊技装置の下部ユニットに取り付けられるヒンジ機構を示す図。
【図１０】遊技装置の下部ユニットの前扉を裏面から見た斜視図。
【図１１】遊技装置の上部ユニットと下部ユニットとの分離連結手段を示す図。
【図１２】遊技装置の上部ユニットと下部ユニットとの締結手段を示す図。
【符号の説明】
【００８０】
Ａ…構造体、Ｂ…遊技装置、Ｂ１…上部ユニット、Ｂ１１…筐体、Ｂ１２…リールユニット、Ｂ１３…演出ユニット、Ｂ１４…遊技制御手段（遊技制御基板）、Ｂ１５…演出制御手段、Ｂ２…下部ユニット、Ｂ２１…筐体、Ｂ２２…遊技媒体投入手段、Ｂ２３…操作手段、Ｂ２４…電源ユニット、Ｂ２５…外部集中端子板、Ｂ２６…遊技媒体回収払出手段、Ｂ３…分離連結手段、Ｂ３３…ストッパ機構、Ｂ３４…締結手段、Ｃ…遊技媒体貸出手段、１３２…摺動脚部材、１６０…扉体ロック手段、１６１…固定プレート、１６１Ａ…乗上片、１６１Ｂ…嵌合溝、１６２…可動プレート、１６２Ａ…プレート本体、１６２Ｂ…操作部、１６２Ｃ…ロック片、１６２Ｃ１…溝部、１６２Ｃ２…傾斜面、１６３…付勢手段、２１０…側板、２１４…係合ピン、２１５…係合ガイド片、２１５Ａ…固定片、２１５Ｂ…受片、２２１…凹部、２２２…レール部材、２２３…ストッパ部材、２２４…止めねじ（止着手段）、２２５…凹部保護プレート（保護カバー）、２２５Ａ…固定片、２２５Ｂ…起立片、２２６…コネクタ取付プレート、２２６Ａ…固定片、２２６Ｂ…垂下片、２２８…コネクタ、２３０…底板、２４０…背板、２５０…前扉（扉体）、２６０…扉体ロック手段。
【図１】
2005058410.tif 000003
【図２】
2005058410.tif 000004
【図３】
2005058410.tif 000005
【図４】
2005058410.tif 000006
【図５】
2005058410.tif 000007
【図６】
2005058410.tif 000008
【図７】
2005058410.tif 000009
【図８】
2005058410.tif 000010
【図９】
2005058410.tif 000011
【図１０】
2005058410.tif 000012
【図１１】
2005058410.tif 000013
【図１２】
2005058410.tif 000014